(57)【要約】【課題】本発明のＡＣプラグ回転位置規制装置は本体ケースにより回転位置規制部材をその弾性変形領域外で支持でき、ＡＣプラグの回転トルクが位置規制リブの寸法ばらつき等により影響を受けなく、また回転位置規制が確実になるためにＡＣプラグのガタが発生しないＡＣプラグ回転位置規制装置を提供することを目的とする。【解決手段】ＡＣプラグを回転自在に保持する本体ケースと、ＡＣプラグ回転軸と係合し前記本体ケースに位置決めされる回動位置規制部材からなり、前記回転位置規制部材は前記ケースに設けられた位置決めピンに係合する突起部を有し前記突起部の近傍に本体ケースの位置規制リブが設けられたことを特徴とするＡＣプラグ回動位置規制装置。【選択図】図１
2011054387.tif 000002
【特許請求の範囲】
【請求項１】
ＡＣプラグから突出する栓刃を外部電源のコンセントに挿入することにより電源供給を受ける充電機能有する機器において、前記ＡＣプラグを回転自在に保持する本体ケースと、ＡＣプラグ回転軸と係合し前記本体ケースに位置決めされる回動位置規制部材から成り、前記回転位置規制部材は前記ケースに設けられた位置決めピンに嵌合する支持部を有し前記支持部の近傍に本体ケースの位置規制リブが設けられたことを特徴とするＡＣプラグ回動位置規制装置。
【請求項２】
前記回転位置規制部材において、複数の支持部を有し、少なくとも１つは本体ケースに完全固定され、残りは本体ケースに完全固定されていないことを特徴とするＡＣプラグ回動位置規制装置。
【発明の詳細な説明】
【技術分野】
【０００１】
本発明はＡＣプラグが本体ケースへの収納位置と電源への接続位置との間で回転自在となるＡＣプラグ可動式充電装置に関するものである。
【背景技術】
【０００２】
従来のＡＣプラグ回転位置規制装置を図３および図４に示す。図３はＡＣプラグ回転位置規制装置の斜視図であり、図４はそのＡＣプラグ回動位置規制装置を組み込んだ充電装置の断面図である。
【０００３】
図３において、ＡＣコンセント等へ差し込み電気の供給を受けるＡＣプラグ１、ＡＣプラグの回転軸に樹脂で一体的に形成されたカム形状部２、バネ性のある樹脂で形成された回転位置規制部材３であり、カム形状部２と係合し、クリック点が設けてあることによりＡＣプラグ１の回転位置が規制できる構成になっている。
【０００４】
また、本体ケース４とケースを爪嵌合であることにより、超音波溶着等により一体的に組合せることにより、ＡＣプラグ１を回転自在に保持できる上ケース５および下ケース６からなる。回転位置規制部材３は上ケース５に設けられた位置規制リブ９−ａ、同様に９−ｂ及び下ケース６に設けられた位置規制リブ９−ｃ、同様に９−ｄによって外形の四隅を保持されるかたちで押圧され、本体ケースに位置決めされている。
【先行技術文献】
【特許文献】
【０００５】
【特許文献１】特開２００４−１２７５２２号公報
【発明の概要】
【発明が解決しようとする課題】
【０００６】
しかしながら前記従来のＡＣプラグ回転位置規制装置では、ＡＣプラグを装置本体とほぼ垂直位置に回動させ電源コンセントに差し込んで使用する際に回転位置規制部材がＡＣプラグのカム形状部によって弾性変形運動をしようとするが、回転位置規制部材の４隅が本体ケースに一体形成されたリブにより押圧固定されているために、この自由な弾性変形運動が阻害されることになる。
【０００７】
また位置規制リブの僅かな仕上がり寸法バラつきにより回転位置規制部材の弾性変形抵抗が変化し、これがＡＣプラグの回転トルクの変動につながり、ＡＣプラグを手で動作させるときの操作感が悪くなるという構造的な問題があった。
【０００８】
さらに、位置規制リブの仕上がり寸法バラつきにより回転位置規制部材への規制力が弱いときには、ＡＣプラグの位置規制が不確実になりＡＣプラグのガタが発生し、充電装置を取り扱うときに本体から異音が発生するという問題があった。
【課題を解決するための手段】
【０００９】
前記従来の課題を解決するために本発明のＡＣプラグ回動位置規制装置は上ケースと下ケースを組み合わせることによりＡＣプラグを回転自在に保持する本体ケースと、ＡＣプラグの回転軸に形成されたカム形状部と係合し前記本体ケースに位置決めされる回動位置規制部材からなり、前記回転位置規制部材は前記ケースに設けられた位置決めピンに嵌合する支持部を有し、前記支持部の近傍に本体ケースに設けられた位置規制リブが配設されるものである。
【００１０】
また、本発明のＡＣプラグ回転位置規制装置は、回転位置規制部材の支持部を回転位置規制部材が弾性変形する領域よりも外側に設け、且つその支持部は本体ケースに設けられた位置決めピン及び位置規制リブにより位置規制されている。
【発明の効果】
【００１１】
本発明によると、本体ケース構造により回転位置規制部材をその弾性変形運動領域外で支持でき、ＡＣプラグの回転トルクが位置規制リブの寸法ばらつき等により影響を受けなくなるため回転トルクが安定し、これによってＡＣプラグを手で引き出す操作をするときの操作性の向上を図ることができる。
【００１２】
なおかつＡＣプラグの位置規制が確実になり、ＡＣプラグのガタが発生しなくなるので、本体機器取り扱いの際の異音が発生しないＡＣプラグ回転位置規制装置を得ることができる。
【図面の簡単な説明】
【００１３】
【図１】本発明の実施の形態１に示すＡＣプラグ回動位置規制装置の斜視図
【図２】本発明の実施の形態２に示すＡＣプラグ回動位置規制装置を組み込んだ装置の断面図
【図３】従来のＡＣプラグ回動位置規制装置の斜視図
【図４】従来のＡＣプラグ回動位置規制装置を組み込んだ充電装置の断面図
【発明を実施するための形態】
【００１４】
以下本発明を実施するための最良の形態について図面を参照しながら説明する。
【００１５】
図１は本発明の実施例におけるＡＣプラグ回動位置規制装置の斜視図、図２はそのＡＣプラグ回動位置規制装置を組み込んだ充電装置の断面図である。
【００１６】
図１において、ＡＣコンセント等へ差し込み電気の供給を受けるＡＣプラグ１、ＡＣプラグの回転軸に樹脂で一体的に形成されたカム形状部２、バネ性のある樹脂で形成された回転位置規制部材３があり、カム形状部２と係合し、クリック点が設けてあることによりＡＣプラグ１の回転位置が規制できる構成になっている。
【００１７】
本体ケース４があり、ケースを爪嵌合であるとか、超音波溶着等により一体的に組合せることによりＡＣプラグ１を回転自在に保持できる上ケース５および下ケース６からなる。    
【００１８】
前記下ケース６に形成された位置決めピン７であり、回転位置規制部材３に設けられた支持部８−ａと８−ｂに嵌合する。支持部８−ａ側の穴形状は位置決めピン７に軽圧入される形状とし支持部８−ｂ側は回転位置規制部材３がＡＣプラグ１の回転により弾性変形運動をする際にその運動を阻止しないように長穴形状に形成されている。        
【００１９】
９−ａおよび９−ｂは上ケース５に一体形成された位置規制リブであり、前記回転位置規制部材３の支持部８−ａおよび８−ｂの近傍を上ケース５および下ケース６が組み立てられたときに押圧するように設けられている。
【００２０】
ＡＣプラグ１が本体ケース収納位置から回動させられることにより回転位置規制部材３に係合されたＡＣプラグ１の回転軸に設けられたカム形状部２が回転位置規制部材３を弾性変形させながら回転する。
【００２１】
次に電源コンセントへの接続位置すなわち本体ケース４に対してほぼ垂直方向にＡＣプラグ１が引き出された状態で回転位置規制部材３に係合されたＡＣプラグ１の回転軸に設けられたカム形状部２が安定し、ＡＣプラグ１が位置規制される。
【００２２】
この状態でのＡＣプラグの位置規制により充電装置の使用者は電源コンセントへの着脱が可能となるものである。
【００２３】
本発明のＡＣプラグ回動位置規制装置には、回転位置規制部材３を下ケース６に対して位置きめするための支持部８−ａと８−ｂを回転位置規制部材３の弾性変形領域から離し、突出した形で設けてある。この理由としてはＡＣプラグ１の回転軸に設けられたカム形状部２が回転位置規制部材３を弾性変形させながら回転する際にその弾性変形領域の外側に支持部を設けることに有る。
【００２４】
これによりＡＣプラグの回転トルクが位置規制リブの寸法ばらつき等により影響を受けなくなるため、回転トルクが安定し、これによってＡＣプラグを手で引き出す操作を行うときの操作性の向上を図ることができる。
【００２５】
また、上ケース５に一体形成された位置規制リブ９−ａおよび９−ｂはこの突出した支持部８−ａと８−ｂに当接するような構成となっているのでこの位置規制リブもまた回転位置規制部材３の弾性変形領域に影響を及ぼさない。
【００２６】
従って比較的強い力で支持部を押圧可能となり、ＡＣプラグの位置規制が確実になり、ＡＣプラグのガタが発生しなくなるので、本体機器取り扱いの際の異音が発生しないＡＣプラグ回転位置規制装置を得ることができる。
【００２７】
本実施例における下ケース６に設けられた位置決めピン７と回転支持部材３の支持部８−ａおよび８−ｂとの関係は、支持部８−ａに設けられた嵌合穴は位置決めピン７に対して遊びがなく固定される角穴で、支持部８−ｂに設けられた嵌合穴は長穴であり、回転規制部材３の弾性変形が行われやすい方向に支持部８−ｂが微小移動可能になっている。
【００２８】
この構造によって支持部８−ａおよび８−ｂの両方を完全固定する場合よりも回転位置規制部材３の弾性変形運動がしやすくなるため、より滑らかなＡＣプラグ操作が可能となるものである。
【産業上の利用可能性】
【００２９】
本発明にかかるＡＣプラグ回動位置規制装置は本体ケースにより回転位置規制部材をその弾性変形領域外で支持でき、ＡＣプラグの回転トルクが位置規制リブの寸法ばらつき等により影響を受けなくなり、且つ回転位置規制が確実になりＡＣプラグのガタが発生しないＡＣプラグ回転位置規制装置を得ることができるので、ＡＣプラグが本体ケースへの収納位置と電源への接続位置との間で回転自在なＡＣプラグ可動式充電装置等として有用である。
【符号の説明】
【００３０】
１      ＡＣプラグ
２      カム形状部
３      回転位置規制部材
４      本体ケース
５      上ケース
６      下ケース
７      位置決めピン
８−ａ  支持部
８−ｂ  支持部
９−ａ  位置規制リブ
９−ｂ  位置規制リブ
９−ｃ  位置規制リブ
９−ｄ  位置規制リブ
【図１】
2011054387.tif 000003
【図２】
2011054387.tif 000004
【図３】
2011054387.tif 000005
【図４】
2011054387.tif 000006